(57)【特許請求の範囲】
【請求項１】
回路カード（１２）の上のコネクタ（１４）をケーブルコネクタ（３４）に接続する相互接続システム（１０，２４）において、
（Ａ）  第１側（１８）と第２側（２０）とを有する第１バックプレインボード（１０）と、
（Ｂ）  前記第１バックプレインボード（１０）の第１側（１８）上にあり、前記複数の回路カード（１２）のそれぞれのコネクタ（１４）と係合する複数のカードコネクタ（１６）と、
（Ｃ）  前記第１バックプリンボード（１０）の第２側（２０）上にあり、複数のグループに配列された複数の第２コネクタ（２２）と、
（Ｄ）  前記複数の第２コネクタ（２２）のそれぞれに対応し、第１側（２６）と第２側（３０）をそれぞれ有する複数の第２バックプレインボード（２４）と、
（Ｅ）  前記第２バックプレインボード（２４）の第１側（２６）上にあり、前記第２コネクタ（２２）に係合する複数のコネクタ（２８）と、
（Ｆ）  前記第２バックプレインボード（２４）の第２側（３０）上にあり、前記ケーブルコネクタ（３４）の１つに係合する複数のコネクタ（３２）と
を有し、
前記第１バックプレインボード（１０）は、前記カードコネクタ（１４）を第２コネクタ（２２）に接続する複数の回路パス（３８，４０）を有し、
前記第２バックプレインボード（２４）は、各第２バックプレインボード（２４）の第１側（２６）にあるコネクタ（２８）を第２側（３０）にあるコネクタ（３２）に接続する複数の回路パスを有する
ことを特徴とする相互接続システム。
【請求項２】
前記複数のカードコネクタ（１６）は、前記複数の回路カード（１２）を並列に離間した列に保持し、
前記第１バックプレインボード（１０）の複数の回路パス（３８，４０）は、前記回路カード（１２）のそれぞれに平行にかつそれに関連した領域内で第１方向に延び、
前記第２バックプレインボード（２４）の複数の回路パスは、前記第１方向に直交する方向に延びる
ことを特徴とする請求項１記載の相互接続システム。
【請求項３】
前記第２コネクタ（２２）は、第１と第２と第３の３つのグループに分けられ、第２バックプレーンボード（２４）が３個あり、
前記複数のカードコネクタ（１６）は、前記第２バックプレーンボード（２４）のそれぞれの１つに対応する３つの部分を有し、、
前記３つの部分は、中央部分と第１と第２の外側部分とからなり、
前記第１と第２の外側部分は、前記中央部分から第１方向に延び、
前記第１グループの第２コネクタ（２２）は、前記第１バックプレインボードを超えてそれぞれのカードコネクタ（１６）の第１外側部分から延び、
前記第２グループの各第２コネクタ（２２）は、第１バックプレインボードを超えてそれぞれのカードコネクタ（１６）の第２外側部分から延び、
前記第３グループの各第２コネクタ（２２）は、前記第２グループの各第２コネクタの外側部分にあり、前記第１グループの各第２コネクタから前記第１方向に延び、
前記第３グループの各第２コネクタ（２２）は、前記カードコネクタ（１６）の中央部分から前記第１バックプレインボード（１０）を超えて延び、
前記第１バックプレインボード（１０）の複数の回路パスは、それぞれのカードコネクタ（１６）の中央部分と前記第３グループの第２コネクタ（２２）とを接続する
ことを特徴とする請求項２記載の相互接続システム。
【請求項４】
第１バックプレインボード（１０）と前記第１バックプレインボードの第１側（１８）に、離間して並列な列として搭載可能な複数の回路カード（１２）とを含む相互接続システムにおいて、
前記第１バックプレインボード（１０）の第２側（２０）に固定される少なくとも１つの第２バックプレインボードを有し、
前記第１バックプレインボード（１０）は、前記複数の回路カード（１２）に整合した第１方向に複数の回路パスを有し、
前記少なくとも１つの第２バックプレインボード（２４）は、前記第１方向に直交する第２方向に複数の回路パスを有する
ことを特徴とする相互接続システム。
【発明の詳細な説明】
【０００１】
【発明の属する技術分野】
本発明は、回路カードとケーブルとの間の接続装置に関し、特に高密度実装のアプリケーションにおけるバックプレーンを介して行われる接続装置に関する。
【０００２】
【従来の技術】
例えば、通信用の現在の電子システムの装置は、モジュラー回路カードとして構成され、機械的なカードケージのガイドスロット内に挿入される。メイン（第１）バックプレインの第１側上のコネクタが、ガイドスロットの内部端部でカードケージに接続している。通信用機器においては、メインプレーンの第２側はケーブルが取り付けられるコネクタを具備している。かくしてバックメインプレーンが第１側のコネクタと第２側のコネクタとの間の相互接続を提供している。
【０００３】
あるアプリケーションにおいては、各ケーブルに対し４個の接続機構を有する１６枚の回路カードを１９２本のケーブルに接続する必要がある。その結果、回路カードのコネクタとケーブルのコネクタとの間での接続は、全部で１２２８８個になる。現在のバックプレーンは複数の層からなり、そして各層は複数の回路パスを収納できるよう構成されている。
【０００４】
現在のバックプレーンの製造技術では、バックプレーンの厚さと層の数を含むバックプレーンの設計が制約を受けている。現在のところ多くの製造業者は、４００ミル（１０ｍｍ）の厚さのバックプレーンしか製造できず、その結果層の数は６４個で、２８個の信号層がルーティングに使えるだけである。このようなバックプレーンでは、ある種のアプリケーションで必要とされる１２２８８個の相互接続を具備するのには不十分である。
【０００５】
【発明が解決しようとする課題】
本発明の目的は、所望の数の相互接続を具備することのできる高密度の相互接続システムを提供することである。
【０００６】
【課題を解決するための手段】
本発明によれば、回路カードのグループの同一領域に接続される関連する回路パスのグループは、メイン（第１）バックプレーンに接続される第２バックプレーン上にルーティングされる。このケーブルは、第２バックプレインボードに接続され、第１バックプレインボード上にルーティングされるのに必要な残りの数の回路パスは製造限界内に入る。
【０００７】
【発明の実施の形態】
図１は、第１バックプレインボード１０と回路カード１２を示す。各回路カード１２は、先端エッヂに搭載されるコネクタ１４の列を有し、第１バックプレインボード１０は、第１側１８上にカードコネクタ１６の列を有する。従来と同様コネクタ１４，１６は、ピンの列を有する。カードコネクタ１６は回路カード１２のコネクタ１４と係合するよう構成され、回路カード１２を並列に離間した列となるよう保持する。同図においては、回路カード１２は垂直方向に保持されている。
【０００８】
図２に示すように、複数の第２コネクタ２２が第１バックプレインボード１０の第２側２０上に搭載されている。この第２コネクタ２２は、例えば同図においては、水平方向に延びる第２コネクタ２２を１６個有するグループが６個垂直に配列されている。
【０００９】
本発明によれば、複数（同図においては６個）の第２バックプレインボード２４が具備されており、それぞれ第２コネクタ２２のグループの１つに対応している。各第２バックプレインボード２４は第１側２６を有し、この第１側２６の上に複数のコネクタ２８が搭載され、第２コネクタ２２のそれぞれのグループと係合している。第２バックプレインボード２４の第２側３０上には、複数のコネクタ３２が搭載され、それらはケーブル３６を終端するコネクタ３４と係合するよう構成されている。
【００１０】
図３は、回路カード１２上のコネクタ１４と第２バックプレインボード２４との間で接続される本発明の接続状態を示す。図３に示すように、第２バックプレインボード２４の全てがカードコネクタ１６に接続できるよう第１バックプレインボード１０を亘って直接延びることができる十分広い領域は第１バックプレインボード１０には存在しない。したがって、各カードコネクタ１６は３つの部分を有し、第２バックプレインボード２４のそれぞれの１つに対応している。この３つの部分とは、中央部と、この中央部から垂直方向に延びている２個の上下外側部分である。
【００１１】
上下に大きく２つにグループ分けされた３個の第２コネクタ２２は上中下の３つのグループに分割され、中央の第１グループの各第２コネクタ２２は、それぞれのカードコネクタ１６の第１（上側）の外側部分から第１バックプレインボード１０を超えて延びており、下側の第２グループの各第２コネクタ２２は、それぞれのカードコネクタ１６の第２（下側）の外側部分から第１バックプレインボード１０を超えて延びている。上側の第３グループの各第２コネクタ２２は、カードコネクタ１６の中央部分から第１バックプレインボード１０を超えて延び、中央の第１グループの第２コネクタ２２の下側の第２グループの第２のコネクタ２２の反対側にある。
【００１２】
図３に示すように、第１バックプレインボード１０の回路パス３８は第１バックプレインボード１０を超えてストレートに延びてカードコネクタ１６の対向する１つをそれぞれの中央と下側の第２コネクタ２２と接続している。さらにまた第１バックプレインボード１０の回路パス４０はカードコネクタ１６の中央部分を上側の第３グループの第２コネクタ２２に接続している。図４に示すように、回路パス４０は第１バックプレインボード１０を通して垂対直方向を向いている。全ての回路パス４０が同一方向に向いているために、これらは第１バックプレインボード１０内で全て収納可能である。
【００１３】
複数の回路カード１２を超えて水平方向の相互接続を得るために回路パス４２が第２バックプレインボード２４の上に具備されている。図５に示すように、回路パス４２は水平方向に延びている。
【００１４】
要するに上記のアプリケーションにおいては、第２バックプレインボード２４は２０４８の相互接続をルーティングし、第１バックプレインボード１０は４０９６の相互接続をルーティングすることが必要とされるだけである（約２０００の隣接する制御用の相互接続（図示せず）と共に）。かくして、各第２バックプレインボード２４は４２個の層を有するよう製造され、一方第１バックプレインボード１０は４６個の層を有するよう製造されるが、これは現在の製造能力の範囲内である。
【００１５】
本明細書においては、垂直方向と水平方向という用語を用いたが、これらは特定の方向を示すためだけのものである。本発明においては、相互接続回路パスは、第１バックプレインボードと第２バックプレインボードとの間で分割され、第１バックプレインボードは、回路カードと整合した第１方向に回路パスを有し、第２バックプレインボードは、この第１方向に直交する第２方向に回路パスを有する。
【図面の簡単な説明】
【図１】本発明による第１バックプレインボードの第１側とそれに接続される複数の回路カードを表す図
【図２】図１の第１バックプレインボードの第２側とそれに接続される複数の第２のバックプレインボードとこの第２のバックプレインボードにケーブルが接続される状態を表す図
【図３】回路カードから第２バックプレインボードへの相互接続のルーティングを示す側面図
【図４】本発明による第１バックプレインボードの層上の相互接続回路パスを表す図
【図５】本発明による第２バックプレインボードの層上の相互接続回路パスを表す図
【符号の説明】
１０  第１バックプレインボード
１２  回路カード
１４，２８，３２，３４  コネクタ
１６  カードコネクタ
１８，２６  第１側
２０，３０  第２側
２２  第２コネクタ
２４  第２バックプレインボード
３６  ケーブル
３８，４０，４２  回路パス
【図１】
0003660552.tif 000002
【図２】
0003660552.tif 000003
【図３】
0003660552.tif 000004
【図４】
0003660552.tif 000005
【図５】
0003660552.tif 000006